(57)【要約】【課題】カプセル状態で提供でき、組立後にはより大きな人形体が得られる組立玩具を提供する。【解決手段】組立玩具１０は、中空の収容体２０に部品３０を収容して販売等される。そして、販売後は、収容体２０と各部品とが組み立てられて人形体となり、収容体２０は人形体の胴体部１１の少なくとも一部を形成可能である。組立後に胴体部１１の上側に配置される部品３０として収容されている人形体の頭部部品３１は、収容状態においてその他部品３２の少なくとも一部を収容可能となっている。このため、収容体２０に収容される頭部部品３１にさらにその他部品３２の一部を収容するので、収容体２０に大きな収容空間を確保することができる。これにより、カプセル状態の収容体２０で提供でき、組立後には収容体２０に比してより大きな組立玩具１０が得られる。【選択図】図２
2019097840.tif 000002
【特許請求の範囲】
【請求項１】
中空の収容体と、
前記収容体に収容される複数の部品と、を有し、
前記中空の収容体と前記各部品とが組み立てられる組立状態において人形体となる組立玩具であって、
前記収容体は前記人形体の胴体部の少なくとも一部を形成可能であり、
前記各部品は、前記胴体部に連結され、前記人形体の頭部の少なくとも一部を形成可能な頭部部品と、前記胴体部あるいは前記頭部の少なくとも一部を形成するその他部品と、からなり、
前記組立状態において、前記頭部部品は前記収容体の上部に配置され、
前記収容体に前記各部品が収容された収容状態において、前記頭部部品は前記その他部品の少なくとも一部を収容可能である組立玩具。
【請求項２】
請求項１に記載の組立玩具であって、
前記頭部部品は、前記組立状態において、前記その他部品が取付可能な取付部を有する組立玩具。
【請求項３】
請求項２に記載の組立玩具であって、
前記取付部は、前記その他部品の一部が挿入可能な開口であり、
前記その他部品は、その一部が前記取付部に対して嵌入される組立玩具。
【請求項４】
請求項２ないし請求項３のうちのいずれか１項に記載の組立玩具であって、
前記収容体は、互いに分割可能な第１部材及び第２部材を有し、
前記第１部材及び前記第２部材は、それぞれ前記収容体に前記頭部部品を連結するための第１部材結合部及び第２部材結合部を備える組立玩具。
【請求項５】
請求項４に記載の組立玩具であって、
前記第１部材結合部及び前記第２部材結合部は、前記頭部部品の一部を挿入可能な開口である組立玩具。
【請求項６】
請求項５に記載の組立玩具であって、
前記頭部部品は、前記第１部材結合部及び前記第２部材結合部に対して挿入後に結合可能な第１係止爪及び第２係止爪を有する組立玩具。
【請求項７】
請求項６に記載の組立玩具であって、
前記第１係止爪は前記第１部材結合部に対してのみ挿入後に結合可能であり、前記第２係止爪は前記第２部材結合部に対してのみ挿入後に結合可能である組立玩具。
【請求項８】
請求項６または請求項７に記載の組立玩具であって、
前記頭部部品は、前記組立状態において、前記収容体に対して線接触する環状の縁部を有し、
前記第１係止爪及び前記第２係止爪は、前記縁部の内側において互いに対向するように配置されている組立玩具。
【請求項９】
請求項８に記載の組立玩具であって、
前記第１係止爪及び前記第２係止爪のうちの少なくとも一方は、他方に対して近づくように設けられる組立玩具。
【請求項１０】
請求項８または請求項９に記載の組立玩具であって、
前記収容体の前部及び前記頭部部品の前部が同一方向を向いて組み立てられた場合にのみ前記縁部が前記収容体に対して線接触可能である組立玩具。
【請求項１１】
請求項７ないし請求項１０のうちのいずれか１項に記載の組立玩具であって、
前記頭部部品は、前記縁部の内側に前記その他部品の少なくとも一部を収容可能な空間を有する組立玩具。
【請求項１２】
請求項１１に記載の組立玩具であって、
前記頭部部品は、互いに略碗形状の第１頭部部品及び第２頭部部品を有し、
前記収容体は、前記収容状態において、前記第１頭部部品及び前記第２頭部部品が互いに重なり合った状態として収容可能である組立玩具。
【請求項１３】
請求項４ないし請求項１２のうちのいずれか１項に記載の組立玩具であって、
前記収容体における前記頭部部品が配置される箇所と反対側に接地面を有し、
前記第１部材係止部及び前記第２部材係止部は、前記接地面に対する距離が異なる位置に設けられる組立玩具。
【請求項１４】
請求項１３に記載の組立玩具であって、
前記収容体は、前記接地面を覆う被覆部材と前記接地面に前記被覆部材を支持可能な被覆部材支持部を有し、
前記被覆部材は、表面が凸状の球面であるとともに、裏面が前記被覆部材用支持部により支持可能である組立玩具。
【請求項１５】
請求項１２ないし請求項１４のうちのいずれか１項に記載の組立玩具であって、
前記接地面が平坦である組立玩具。
【請求項１６】
請求項１ないし請求項１５のうちのいずれか１項に記載の組立玩具であって、
前記その他部品は、前記胴体部の少なくとも一部と前記頭部部品の少なくとも一部の両方を被覆可能な人形体被覆部品を含み、
前記人形体被覆部品は、前記頭部部品に係止される組立玩具。
【請求項１７】
請求項１ないし請求項１６のうちのいずれか１項に記載の組立玩具であって、
前記頭部部品は、顔面意匠が形成されている組立玩具。
【発明の詳細な説明】
【技術分野】
【０００１】
本発明は、カプセル内部に部品を収納して自動販売機等で販売され、部品を組み立てて形成される人形型玩具に関する。
【背景技術】
【０００２】
従来、カプセル内部に人形などを収納して自動販売機等で販売される玩具が知られている（例えば、特許文献１参照）。
特許文献１に記載のカプセル玩具では、カプセル内部に、玩具を組み立てるための部品が収納されており、部品を取り出した後にはカプセル自体を玩具の部品として用いることにより、様々な種類の玩具を組み立てることができるようになっている。このため、以前のように購入目的である小型玩具をカプセルから取出した後もカプセル自体も使用して遊べるようになっている。
【先行技術文献】
【特許文献】
【０００３】
【特許文献１】特開平０７−１４８３５８号公報
【発明の概要】
【発明が解決しようとする課題】
【０００４】
しかしながら、前述したようにカプセル自体を組立人形の一部として用いて人形体（玩具）を作る場合、カプセルに収容されている小さな部品をカプセルに取り付けただけでは、カプセルの大きさと同等か少し大きい程度の大きさの人形体しか得られないという問題がある。
【０００５】
本発明は、カプセル状態で提供でき、組立後にはより大きな人形体が得られる組立玩具を提供することを目的とする。
【課題を解決するための手段】
【０００６】
本発明に係る組立玩具は、中空の収容体と、前記収容体に収容される複数の部品とを有し、前記中空の収容体と前記各部品とが組み立てられる組立状態において人形体となる組立玩具であって、前記収容体は前記人形体の胴体部の少なくとも一部を形成可能であり、前記各部品は、前記胴体部に連結され、前記人形体の頭部の少なくとも一部を形成可能な頭部部品と、前記胴体部あるいは前記頭部の少なくとも一部を形成するその他部品と、からなり、前記組立状態において、前記頭部部品は前記収容体の上部に配置され、前記収容体に前記各部品が収容された収容状態において、前記頭部部品は前記その他部品の少なくとも一部を収容可能である。
【０００７】
また、本発明に係る組立玩具においては、前記頭部部品は、前記組立状態において、前記その他部品が取付可能な取付部を有してもよい。
【０００８】
また、本発明に係る組立玩具においては、前記取付部は、前記その他部品の一部が挿入可能な開口であり、前記その他部品は、その一部が前記取付部に対して嵌入されてもよい。
【０００９】
また、本発明に係る組立玩具においては、前記収容体は、互いに分割可能な第１部材及び第２部材を有し、前記第１部材及び前記第２部材は、それぞれ前記収容体に前記頭部部品を連結するための第１部材結合部及び第２部材結合部を備えてもよい。
【００１０】
また、本発明に係る組立玩具においては、前記第１部材結合部及び前記第２部材結合部は、前記頭部部品の一部を挿入可能な開口であってもよい。
【００１１】
また、本発明に係る組立玩具においては、前記頭部部品は、前記第１部材結合部及び前記第２部材結合部に対して挿入してから係止可能な第１係止爪及び第２係止爪を有してもよい。
【００１２】
また、本発明に係る組立玩具においては、前記第１係止爪は前記第１部材結合部に対してのみ挿入後に結合可能であり、前記第２係止爪は前記第２部材結合部に対してのみ挿入後に結合可能であってもよい。
【００１３】
また、本発明に係る組立玩具においては、前記頭部部品は、前記組立状態において、前記収容体に対して線接触する環状の縁部を有し、前記第１係止爪及び前記第２係止爪は、前記縁部の内側において互いに対向するように配置されてもよい。
【００１４】
また、本発明に係る組立玩具においては、前記第１係止爪及び前記第２係止爪のうちの少なくとも一方は、他方に対して近づくように設けられていてもよい。
【００１５】
また、本発明に係る組立玩具においては、前記収容体の前部及び前記頭部部品の前部が同一方向を向いて組み立てられた場合にのみ前記縁部が前記収容体に対して線接触可能であってもよい。
【００１６】
また、本発明に係る組立玩具においては、前記頭部部品は、前記縁部の内側に前記その他部品の少なくとも一部を収容可能な空間を有してもよい。
【００１７】
また、本発明に係る組立玩具においては、前記頭部部品は、互いに略碗形状の第１頭部部品及び第２頭部部品を有し、前記収容体は、前記収容状態において、前記第１頭部部品及び前記第２頭部部品が互いに重なり合った状態として収容可能であってもよい。
【００１８】
また、本発明に係る組立玩具においては、前記収容体における前記頭部部品が配置される箇所と反対側に接地面を有し、前記第１部材結合部及び前記第２部材結合部は、前記接地面に対する距離が異なる位置に設けられてもよい。
【００１９】
また、本発明に係る組立玩具においては、前記収容体は、前記接地面を覆う被覆部材と前記接地面に前記被覆部材を支持可能な被覆部材支持部を有し、前記被覆部材は、表面が凸状の球面であるとともに、裏面が前記被覆部材用支持部により支持可能であってもよい。
【００２０】
また、本発明に係る組立玩具においては、前記接地面が平坦であってもよい。  
【００２１】
また、本発明に係る組立玩具においては、前記その他部品は、前記胴体部の少なくとも一部と前記頭部部品の少なくとも一部の両方を被覆可能な人形体被覆部品を含み、
前記人形体被覆部品は、前記頭部部品に係止されてもよい。
【００２２】
また、本発明に係る組立玩具においては、前記頭部部品は、顔面意匠が形成されていてもよい。
【発明の効果】
【００２３】
本発明によれば、カプセル状態で提供でき、組立後にはより大きな人形体が得られる人形型玩具を提供することができる。
【図面の簡単な説明】
【００２４】
【図１】本発明の実施形態である人形型玩具の組立状態の全体構成を示す正面図である。
【図２】本発明の実施形態である人形型玩具の収容状態を示す全体斜視図である。
【図３】（ａ）、（ｂ）は、収容体に部品を収容する状態を示す分解斜視図である。
【図４】収容体を構成する第１部材及び第２部材の内部を示す斜視図である。
【図５】収容体の側面図であり、第１部材結合部及び第２部材結合部の高さ位置を示す説明図である。
【図６】収容状態において被覆部材を外した収容体を下方から見た斜視図である。
【図７】頭部部品を左上方から見た斜視図である
【図８】頭部部品を右上方から見た斜視図である。
【図９】頭部部品の平面図である。
【図１０】頭部部品の側面図である。
【図１１】収容状態において第１頭部部品と第２頭部部品とを重ねた状態を示す斜視図である。
【図１２】収容体と頭部部品とを連結する状態を示す斜視図である。
【図１３】収容体と頭部部品とを適正な向きで連結した状態を示す側面図である。
【図１４】収容体と頭部部品とを誤った向きで連結した状態を示す側面図である
【図１５】左耳の取付部及び左耳部品の内側を示す斜視図である。
【図１６】小判部品を収容体に取り付ける状態を示す説明図である。
【図１７】小判部品を取付けた収容体を示す正面図である。
【発明を実施するための形態】
【００２５】
［本発明の実施の形態］
図１は、本発明の実施形態である人形型玩具の組立状態の構成を示す全体正面図であり、図２は、本発明の実施形態である人形型玩具の収容状態を示す全体斜視図である。
【００２６】
図１に示すように、組立玩具１０は、組立後の組立状態では例えば招き猫のような人形体として形成されており、下側に胴体部１１を有し、胴体部１１の上側には頭部１２を有する。一方、図２に示すように、組立前の販売時等の収容状態では、収容体２０に被覆部材４０が取り付けられて、全体略球状を呈している。図３（ａ）に示すように、収容体２０の内部には、部品３０が収容されている。部品３０は、頭部部品３１及びその他部品３２等を有する。なお、部品３０及び被覆部材４０については、詳細を後述する。本実施の形態においては、収容体２０に部品３０を収容した状態で人形型玩具１０を自動販売機（図示せず）から提供することを想定しており、収容体２０は自動販売機から転がして落下させるかたちでの提供ができる必要があるため、収容体２０の外形を形成する外側面は、球状に近い形であることが好ましいが、完全な球状でなくとも、自動販売機から転がして落下させる態様での提供が可能な形状であればよい。この点に鑑みて、本実施の形態においては、収容体２０に組立玩具１０の形象に対応する多少の凹凸が設けられたり、収容体２０に部品３０の一部を取り付けるための開口部等を含んだりしていても、自動販売機からの提供が可能な形状であれば「略球状」であるものとして扱う。
【００２７】
図３（ａ）及び図４に示すように、収容体２０は、互いに分割可能な略半球状の第１部材２１及び第２部材２２を有しており、それぞれ第１部材開口部２１１及び第２部材開口部２２１を有している。したがって、第１部材開口部２１１及び第２部材開口部２２１を合わせるように第１部材２１と第２部材２２とを係合することにより、内部に部品３０を収容するための略球状の収容空間Ｓが形成される。
【００２８】
第１部材２１には、第１部材連結部２３が設けられ、第２部材２２には第２部材連結部２４が設けられている。第１部材連結部２３は、一端側が第１部材２１に設けられ、他端（先端）側が第１部材縁部２１１から外側に突出した棒状部材となっている。また、第２部材連結部２４は、第１部材連結部２３の先端が嵌入可能な連結孔２４１を有する筒状となっている。第２部材連結部２４は、第２部材２２から外側に突出していない。
【００２９】
第１部材連結部２３及び第２部材連結部２４は、対向する位置に２か所以上設けられており、少なくとも後述の接地面２７付近に位置する第１部材２１及び第２部材２２の下端部に設けるのが望ましい。また、第１部材連結部２３と第２部材連結部２４とは着脱可能となっており、収容体２０を分割して部品３０を取り出した後に、第１部材２１と第２部材とを再度連結して胴体部１１の少なくとも一部を形成することができるようになっている。このとき、第１部材２１が胴体部１１の前面を構成し、第２部材２２が胴体部１１の背面を構成する。
【００３０】
また、第１部材２１及び第２部材２２の外側面は胴体部１１の外形を形成するようになっており、第１部材２１と第２部材２２とを組み合わせることにより胴体部１１を形成可能となっている（図５参照）。第１部材２１及び第２部材２２の底面は、胴体部１１を載置（すなわち、組立玩具１０を載置）する際の接地面２７となっており、第１部材２１と第２部材２２を接合した際に一個の平坦面となるように形成されている。
なお、図３（ａ）では、部品３０としての頭部部品３１が組み合わせられた状態であり、かつ、頭部部品３１内に耳部品３３、肢部品３４、小判部品３５（図１６参照）等が収容された状態が示されているが、図３（ｂ）に示すように、頭部部品３１が分割されていてもよい。
【００３１】
図４及び図１２に示すように、第１部材２１及び第２部材２２の上端には、頭部部品３１を載置するための第１部材上面２１２及び第２部材上面２２２がそれぞれ設けられている。また、第１部材上面２１２には第１部材結合部２５が設けられ、第２部材上面２２２には第２部材結合部２６が設けられている。第１部材結合部２５及び第２部材結合部２６は、本実施の形態においては、頭部部品３１の一部を挿入可能な開口であり、例えば矩形状を呈しているものとして記載しているが、このような態様に限定される必要はなく、第１部材結合部２５及び第２部材結合部２６は、例えば突起部として形成されてもよい。ただし、収容体２０の外側面の態様を考慮すると、開口として形成する方が好ましい。
【００３２】
図５に示すように、第１部材上面２１２及び第２部材上面２２２は、頭部１２が取り付けられる連続した取付面であり、第２部材上面２２２の方が第１部材上面２１２よりも高くなるように傾斜している。このため、接地面２７から第１部材結合部２５の距離Ｈ１は、接地面２７から第２部材結合部２６の距離Ｈ２よりも大きくなっている。
【００３３】
図２及び図１６に示すように、胴体部１１の前側を構成する第１部材２１の前面には、その他部品３２を取付けるための胴体部品取付部２８が形成されている。本実施の形態においては、胴体部品取付部２８は開口として形成される。胴体部品取付部２８は一直線上に３個形成されており、両端の第１胴体部品取付部２８１及び第３胴体部品取付部２８３は左右対称の矩形状を呈しており、中央の第２胴体部品取付孔２８２は左右非対称の例えば台形状を呈している。第１部材結合部２５及び第２部材結合部２６と同様に、胴体部品取付部２８は、例えば突起部として形成されてもよい。ただし、収容体２０の外側面の態様を考慮すると、部品を取付け可能な開口として形成する方が好ましい。
【００３４】
図６に示すように、接地面２７の中央部における第２部材２２側には、収容体２０として使用する際に接地面２７を覆う被覆部材４０を取付けるための被覆部材支持部２７１が設けられており、本実施の形態においては、被覆部材支持部２７１は開口であるものとして説明する。被覆部材４０は表面４１が凸状の球面であり、接地面２７に取り付けた際に収容体２０が全体として球状に近くなるようになっている（図２参照）。また、被覆部材４０の裏面４２には、被覆部材支持部２７１に対向する位置に突起部４３が設けられており、被覆部材支持部２７１が開口である場合、突起部４３を被覆部材支持部２７１に挿嵌することにより、被覆部材４０が収容体２０に支持される。第１部材結合部２５及び第２部材結合部２６と同様に、被覆部材支持部２７１は、例えば突起部として形成されてもよい。ただし、接地面２７の態様を考慮すると、部品を支持可能な開口として形成する方が好ましい。
【００３５】
次に、収容体２０に収容される部品３０について説明する。図３（ａ）に示すように、部品３０は、大きく分けて頭部部品３１とその他部品３２とを有する。頭部部品３１は、胴体部１１に連結されて頭部１２の少なくとも一部を形成可能な部品である。その他部品３２は、胴体部１１や頭部１２の少なくとも一部を形成する部品、または、人形体の態様としては胴体に繋がるが組立玩具１０としては頭部１２に支持される部品であり、小判部品３５、耳部品３３、肢部品３４（図１６参照）等を有する。
【００３６】
図７〜図９に示すように、頭部１２を構成する頭部部品３１は全体略球状を呈しており、前側の第１頭部部品３１１と後側の第２頭部部品３１２とから構成されている。第１頭部部品３１１及び第２頭部部品３１２は、収容状態において収容体２０に収容可能な大きさの略半球状（略碗形状）を呈している。なお、図３（ａ）に示すように、収容状態においては第１頭部部品３１１及び前記第２頭部部品３１２が接続された状態で収容体２０に収容されてもよい。また、図３（ｂ）に示すように、収容状態においては第１頭部部品３１１及び前記第２頭部部品３１２が互いに重なり合った状態で収容体２０に収容されてもよい（図１１参照）。第１頭部部品３１１及び前記第２頭部部品３１２が互いに重なり合った状態で収容体２０に収容する場合の方が、第１頭部部品３１１及び前記第２頭部部品３１２が重なり合った部分だけ第１頭部部品３１１と前記第２頭部部品３１２とを接続したときの大きさを大きくすることが可能となる。
【００３７】
図１１に示すように、第１頭部部品３１１の内側には第１頭部部品連結部３１７が設けられており、第１頭部部品連結部３１７は、第２頭部部品３１２方向に突出した複数本（例えば、３本）の棒状部材として形成することができる。一方、第２頭部部品３１２の内面には、第１頭部部品連結部３１７を連結可能な第２頭部部品連結部３１８が設けられており、第２頭部部品連結部３１８は、棒状部材である第１頭部部品連結部３１７が連結可能な連結受部３１８が設けられている。第１頭部部品連結部３１７が棒状部材として形成されている場合は、連結孔を有する筒状部材として連結受け部３１８を形成することができ、第１頭部部品連結部３１７の先端部を連結受部３１８の連結孔に挿嵌することにより、第１頭部部品３１１と第２頭部部品３１２とを連結して、頭部部品３１を形成することができる。なお、第１頭部部品３１１の前面には、顔面意匠Ｆが形成されている（図７参照）。
【００３８】
図１０及び図１１に示すように、第１頭部部品３１１及び第２頭部部品３１２は、下部が切り欠かれていて、それぞれ胴体部１１の第１部材上面２１２及び第２部材上面２２２に接触する第１頭部部品下面３１３及び第２頭部部品下面３１４を有する。第１頭部部品下面３１３及び第２頭部部品下面３１４は、組立状態において、収容体２０に対して線接触する環状の縁部を形成している。頭部部品３１は、縁部の内側が例えば凹状となっており、縁部の内側にその他部品３２の少なくとも一部を収容可能な内部空間を有する。
【００３９】
第１頭部部品下面３１３には、第１部材結合部２５に対して結合可能な第１頭部部品結合部が設けられており、本実施の形態においては、第１部材結合部２５が開口であることに応じて、第１頭部部品結合部は、第１部材結合部２５に対して挿入後に結合可能な第１係止爪３１５として説明する。また、第２頭部部品下面３１４には、第２部材結合部２６に対して結合可能な第２頭部部品結合部が設けられており、本実施の形態においては、第２部材結合部２６が開口であることに応じて、第２頭部部品結合部は、第２部材結合部２６に対して挿入後に結合可能な第２係止爪３１６として説明する。ただし、第１部材結合部２５及び第２部材結合部２６が突起部として形成されている場合は、突起部と結合可能な開口として第１係止爪３１５及び第２係止爪３１６を形成する必要がある。ここで、第１係止爪３１５と第２係止爪３１６とは、第１頭部部品下面３１３及び第２頭部部品下面３１４で形成される縁部の内側において互いに対向するように配置されている（図１２参照）。
【００４０】
図１０に示すように、第１係止爪３１５は、第１頭部部品下面３１３に設けられた第１支持部３１５ａと、第１支持部３１５ａの先端（下端）から外側に突出する第１爪部３１５ｂを有する。また、第２係止爪３１６は、第２頭部部品下面３１４に設けられた第２支持部３１６ａと、第２支持部３１６ａの先端（下端）から外側に突出する第２爪部３１６ｂを有する。すなわち、第１係止爪３１５および第２係止爪３１６は、一部が湾曲した形状となっている。なお、第１支持部３１５ａ及び第２支持部３１６ａのうちの少なくとも一方は、他方に対して近づくように延在する。すなわち、第１係止爪３１５および第２係止爪３１６のうちの少なくとも一方は他方に対して近づくように設けられる。
【００４１】
したがって、図１２に示すように、第１係止爪３１５を第１部材結合部２５に挿入すると、第１爪部３１５ｂが第１部材上面２１２の内面に結合される。同様に、第２係止爪３１６を第２部材結合部２６に挿入すると、第２爪部３１６ｂが第２部材上面２２２の内面に結合される。これにより、頭部１２が胴体部１１から脱落するのを防止できる。なお、第１係止爪３１５は第１部材結合部２５に対してのみ挿入後に結合可能であり、第２係止爪３１６は第２部材結合部２６に対してのみ挿入後に結合可能となっている。
【００４２】
このため、図１３に示すように、収容体２０の前部及び頭部部品３１の前部が同一方向を向いて組み立てられた正常な位置関係にある場合にのみ、頭部部品３１の第１部材上面２１２及び第２部材上面２２２がそれぞれ収容体２０の第１頭部部品下面３１３及び第２頭部部品下面３１４に対して線接触するようにしてもよい。なお、図１４に示すように、収容体２０の前部及び頭部部品３１の前部が同一方向を向いていない場合には、組み立てることができないが、無理に頭部部品３１を収容体２０に取り付ける場合に頭部部品３１の第１部材上面２１２及び第２部材上面２２２と収容体２０の第１頭部部品下面３１３及び第２頭部部品下面３１４との間に隙間Ｇを発生させることで、収容体２０と頭部部品３１とが正常な位置関係にないことが把握できるようにしてもよい。
【００４３】
図３（ａ）に示すように、収容体２０に各部品３０が収容された収容状態においては、第１頭部部品３１１及び第２頭部部品３１２が組み合わせられた頭部部品３１の内部にその他部品３２（耳部品３３、肢部品３４）が収容されている。
一方、前述したように、頭部部品３１を構成する第１頭部部品３１１及び第２頭部部品３１２が分割されている場合、図３（ｂ）に示すように、収容体２０に各部品３０が収容された収容状態においては、頭部部品３１はその他部品３２の少なくとも一部を収容可能となっている。したがって、例えば、第１頭部部品３１１の内側に第２頭部部品３１２が重ねられている場合（図１１参照）には、その他部品３２の少なくとも一部は第２頭部部品３１２の内側に収容されており、例えば肢部品３４の一部は頭部部品３１からはみ出している。
【００４４】
図７〜図９に示すように、頭部部品３１は、組立状態において、その他部品３２が取付可能な取付部３６を有する。例えば、頭部部品３１の上部右位置には右耳部品３３１が取り付けられる右耳取付部３６１が設けられ、頭部部品３１の上部左位置には左耳部品３３２が取り付けられる左耳取付部３６２を有する。右耳取付部３６１及び左耳取付部３６２は、台形状の開口である。また、第１頭部部品３１１の右側側面には、肢部品３４を取付ける肢部品取付部３６３が設けられている。肢部品取付部３６３は、矩形の開口である。このように、頭部部品に対して取り付ける位置によって開口部の形状を変えておくことが好ましい
【００４５】
図１５に示すように、左耳部品３３２は、耳部品取付突部３２３が設けられている。耳部品取付突起部３３３は、頭部部品３１に設けられている左耳取付部３６２の形状に対応した台形状となっている。したがって、耳部品取付突起部３３３を左耳取付部３６２である開口に挿嵌することにより、左耳部品３３２を頭部部品３１に取り付けることができる。ここでは、左耳部品３３２を示しているが、右耳部品３３１についても同様である。本実施の形態においては、左耳部品３３２の突起部を頭部部品３１に設けられた開口に挿嵌するものとして説明したが、このような態様に限定される必要はなく、左耳部品３３２に取付用の開口を形成し、頭部部品３１に突起部を形成することも可能である。ただし、頭部部品３１を収容体２０に収容することを考慮すると、頭部部品３１の外側面には突起部が形成されないことが好ましく、頭部部品３１に設けられる部品取付部としては、開口であることが好ましい。  なお、肢部品３４にも頭部部品３１の肢部品取付部３６３に取り付けるための取付部が設けられているが、耳部品３３の取付部と同様なので、詳細な説明及び図示は省略する。
【００４６】
以上のように、頭部部品３１のような胴体部１１に取り付ける大きい部品と右耳取付部３６１及び左耳部品３３２のような頭部部品３１に取り付ける小さい部品で取り付け方法を異ならせることができる。具体的には、頭部部品３１のような胴体部１１に取り付ける大きい部品は、第１係止爪３１５や第２係止爪３１６のように、先端で湾曲する爪部を有することで、より安定して胴体部１１に取り付けることができる。一方、右耳取付部３６１及び左耳部品３３２のような頭部部品３１に取り付ける小さい部品は、先端で湾曲する爪部を有しない直線状に伸びる突起部を挿入するだけで取り付け可能にすることで単純な形状で容易に取り付けることができる。また、このように取り付け方法を異ならせることで、取り付けられる側の部材に形成される開口の大きさも異ならせることができる。具体的には、頭部部品３１を胴体部１１に取り付けるときの胴体部１１の開口である第１部材結合部２５及び第２部材結合部２６の大きさは、右耳取付部３６１及び左耳部品３３２を取り付けるときの頭部部品３１の開口である右耳取付部３６１及び左耳取付部３６２よりも小さく形成することができる。胴体部１１は、収容体として機能する部材であるため、収容体２０をカプセル状態で提供する態様を考慮すると、外形への影響が少なくなるように上述のような小さい開口で形成することが好ましい。
【００４７】
また、図１６に示すように、小判部品３５は全体長円形状を呈しており、外周縁に沿って縁壁３５１が設けられている。縁壁３５１の先端面には、胴体部品取付部２８が開口で形成されていることに応じて、小判部品３５を胴体部１１に取り付けるための第１突起部３５２及び第３突起部３５４が設けられており、小判部品３５の内面３５５中央には、第２突起部３５３が設けられている。第１突起部３５２は胴体部１１前面に設けられている第１胴体取付部２８１に取り付けられ、第３突起部３５４は胴体部１１の第３胴体取付部２８３に取り付けられる。
そして、台形状の第２突起部３５３は、胴体部１１に設けられている台形状の第２胴体取付部２８２に取り付けられる。このため、第２突起部３５３と第２胴体取付部２８２の取付方向が一致しなければ取り付けられないので、小判部品３５に取付方向を間違うことが防止される。図１７には、小判部品３５が適正に取り付けられた胴体部１１が示されている。
【００４８】
次に、組立玩具１０を用いた遊戯動作について説明する。
自動販売機等から収容状態の組立玩具１０を購入すると（図２参照）、収容体２０を第１部材２１と第２部材２２とに分割して、内部から部品３０を取り出す（図３（ａ）参照）。続いて、空になった第１部材２１と第２部材２２とを連結して胴体部１１を形成する（図５参照）。一方、部品３０の中から第１頭部部品３１１と第２頭部部品３１２を取り出し、第１頭部部品３１１と第２頭部部品３１２とを連結して頭部部品３１を形成する（図７参照）。
【００４９】
次いで、頭部部品３１を胴体部１１の上側に取り付け（図１２及び図１３参照）、頭部部品３１に耳部品３３及び肢部品３４を取付けて（図１５参照）、頭部１２を形成する。また、胴体部１１に小判部品３５を取付ける（図１６参照）。
このようにして、組立玩具１０を組み立てることができる（図１参照）。なお、組立後あるいは組立前の収容体２０や部品３０に着色や模様を付して、個性ある組立玩具１０を形成することもできる。
【００５０】
次に、本実施形態に係る組立玩具の作用、効果について説明する。
本実施形態に係る組立玩具１０では、略球状に形成された中空の収容体２０に部品３０を収容して自動販売機から転がして落下させる態様で販売等される。そして、販売後は、収容体２０によって人形体の胴体部１１の少なくとも一部を形成可能となっている。組立後に胴体部１１の上側に配置される部品３０として収容されている人形体の頭部部品３１は、収容状態においてその他部品３２の少なくとも一部を収容可能となっている。
【００５１】
このため、収容体２０に収容される頭部部品３１にさらにその他部品３２の一部を収容する収容空間が設けられるので、頭部部品３１をより大きく形成することができる。これにより、カプセル状態の収容体２０で提供でき、組立後には収容体２０に比してより大きな組立玩具１０が得られる。
【００５２】
また、本実施形態に係る組立玩具１０では、頭部部品３１は、組立状態において、その他部品３２が取付可能な取付部３６を有する。
このため、収容状態では、頭部部品３１に取り付けるその他部品３２を頭部部品３１と別個に頭部部品３１が有する収容空間に収容できるので、収容体２０に収容される頭部部品３１をより大きく形成するすることができる。
【００５３】
また、本実施形態に係る組立玩具１０では、頭部部品３１の取付部３６はその他部品３２の一部が挿入可能な開口であり、その他部品３２は、その一部が取付部３６に対して嵌入される。
このため、その他部品３２の一部を取付部３６に圧入して取り付けるので、その他部品３２側に係止爪等を設ける必要がなく、構造を簡易化できる。
【００５４】
また、本実施形態に係る人形型玩具１０では、収容体２０は互いに分割可能な第１部材２１及び第２部材２２で構成されており、第１部材２１及び第２部材２２は、それぞれ頭部部品３１を連結するための第１部材結合部２５及び第２部材結合部２６を有する。
このため、分割可能な部材の連結を頭部部品３１側でさらに補助することができ、組立玩具１０の組み立ての安定性が向上する。
【００５５】
また、本実施形態に係る組立玩具１０では、第１部材結合部２５及び第２部材結合部２６は、頭部部品３１の一部を挿入可能な開口である。
このため、頭部部品３１の一部を第１部材結合部２５及び第２部材結合部２６に挿入することにより、簡易な構造で頭部１２を形成することができる。
【００５６】
また、本実施形態に係る組立玩具１０では、頭部部品３１は、胴体部１１の第１部材結合部２５及び第２部材結合部２６に対して挿入後に結合可能な第１係止爪３１５及び第２係止爪３１６を有する。
このため、第１係止爪３１５を第１部材結合部２５に挿入して結合するとともに、第２係止爪３１６を第２部材結合部２６に挿入して結合することにより、確実に頭部部品３１を胴体部１１に取り付けることができる。
【００５７】
また、本実施形態に係る組立玩具１０では、第１係止爪３１５は第１部材結合部２５に対してのみ挿入後に結合可能であり、第２係止爪３１６は第２部材結合部２６に対してのみ挿入後に結合可能である。
このため、胴体部１１に対して頭部１２を誤った向きに取り付けるのを防止できる。
【００５８】
また、本実施形態に係る組立玩具１０では、頭部部品３１は、組立状態において、収容体２０に対して線接触可能な環状の第１頭部部品下面３１３及び第２頭部部品下面３１４を有する。そして、第１係止爪３１５及び第２係止爪３１６は、環状の第１頭部部品下面３１３及び第２頭部部品下面３１４において互いに対向するように配置されている。
このため、頭部部品３１を胴体部１１に対して正しい向きに取り付けることができる。
【００５９】
また、本実施形態に係る組立玩具１０では、第１係止爪３１５及び第２係止爪３１６のうちの少なくとも一方は、他方に対して近づくように設けられる。
このため、第１係止爪３１５及び第２係止爪３１６を、確実に第１部材係止部２５及び第２部材係止部２６に挿入して係止することができる。
【００６０】
また、本実施形態に係る組立玩具１０では、収容体２０の前部及び頭部部品３１の前部が同一方向を向いて組み立てられた場合にのみ、第１頭部部品下面３１３及び第２頭部部品下面３１４が収容体２０の第１部材上面２１２及び第２部材上面２２２に対して隙間なく線接触可能にした。
このため、収容体２０に対して誤った向きに頭部部品３１を取り付けようとすると、第１頭部部品下面３１３及び第２頭部部品下面３１４と、第１部材上面２１２及び第２部材上面２２２との間に隙間Ｇができるので、誤装着を防止することができる。
【００６１】
また、本実施形態に係る組立玩具１０では、頭部部品３１は、内側が凹状の殻部材であるので、その他部品３２の少なくとも一部を収容可能な内部空間を形成することができる。
【００６２】
また、本実施形態に係る組立玩具１０では、頭部部品３１は、互いに略碗形状の第１頭部部品３１１及び第２頭部部品３１２を有し、収容体２０は、収容状態において、第１頭部部品３１１及び第２頭部部品３１２が互いに重なり合った状態として収容可能となっている。
このため、頭部部品３１を収容する空間を小さくすることができ、頭部部品３１をより大きな形状とすることが可能となる。
【００６３】
また、本実施形態に係る組立玩具１０では、収容体２０における頭部部品３１が配置される箇所と反対側の下側に接地面２７を有し、接地面２７に対する第１部材係止部２５の距離Ｈ１よりも接地面２７に対する第２部材係止部２６の距離Ｈ２を大きくした。
このため、頭部部品３１を胴体部１１に対して反対向きに取り付けると、顔の上下方向の向きがおかしくなるので、誤装着を防止することができる。
【００６４】
また、本実施形態に係る組立玩具１０では、収容体２０の接地面２７に被覆部材用支持部２７１が設けられている。また、接地面２７を覆う被覆部材４０には、裏面４２側に突起部４３が設けられている。このため、突起部４３が被覆部材用支持部２７１に支持されるすることにより、容易に被覆部材４０を収容体２０の接地面２７に取り付けることができる。なお、被覆部材４０は、表面が凸状の球面である。
このため、収容体２０の接地面２７に被覆部材４０を取付けることにより、収容体２０の全体形状を球状に近づけることができ、販売に適した形状とすることができる。
【００６５】
また、本実施形態に係る組立玩具１０では、接地面２７が平坦なので、人形型玩具１０を載置した際に安定する。
【００６６】
また、本実施形態に係る組立玩具１０では、その他部品３２に胴体部１１の少なくとも一部と頭部部品３１の少なくとも一部の両方を被覆可能な部品として肢部品３４が含まれ、肢部品３４は、頭部部品３１に係止される。胴体部１１は収容体２０により構成されるため、開口や突起等の取付部を設けないことが望ましく、頭部１２に肢部品３４を取り付けることにより、販売に適した形状とすることができる。。
【００６７】
また、本実施形態に係る組立玩具１０では、頭部部品３１は、顔面意匠Ｆが形成されているので、人形型玩具１０に種々の面白みを加味することができる。また、人形型玩具１０の前後を明確にすることができる。
【００６８】
なお、本発明の人形体の手首関節構造及び人形体は、前述した実施形態に限定されるものでなく、適宜な変形，改良等が可能である。
例えば、前述した実施形態においては、頭部部品３１を二分割して第１頭部部品３１１と第２頭部部品３１２とで構成する場合について説明したが、頭部部品３１を分割しない場合にも適用可能である。
このようにしても、前述した実施形態と同様の作用、効果を得ることができる。
【符号の説明】
【００６９】
１０  組立玩具
１１  胴体部
１２  頭部
２０  収容体
２１  第１部材
２２  第２部材
２５  第１部材結合部
２６  第２部材結合部
２７  接地面
２７１  被覆部材支持部
３０  部品
３１  頭部部品
３１１  第１頭部部品
３１２  第２頭部部品
３１３  第１頭部部品下面（縁部）
３１４  第２頭部部品下面（縁部）
３１５  第１係止爪
３１６第２係止爪
３２  その他部品
３４  肢部品
３６  取付部
４０  被覆部材
４３  係止爪
Ｆ  顔面意匠
【図１】
2019097840.tif 000003
【図２】
2019097840.tif 000004
【図３】
2019097840.tif 000005
【図４】
2019097840.tif 000006
【図５】
2019097840.tif 000007
【図６】
2019097840.tif 000008
【図７】
2019097840.tif 000009
【図８】
2019097840.tif 000010
【図９】
2019097840.tif 000011
【図１０】
2019097840.tif 000012
【図１１】
2019097840.tif 000013
【図１２】
2019097840.tif 000014
【図１３】
2019097840.tif 000015
【図１４】
2019097840.tif 000016
【図１５】
2019097840.tif 000017
【図１６】
2019097840.tif 000018
【図１７】
2019097840.tif 000019
【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
中空の収容体と、
前記収容体に収容される複数の部品と、を有し、
前記中空の収容体と前記各部品とが組み立てられる組立状態において人形体となる組立
玩具であって、
前記収容体は前記人形体の胴体部の少なくとも一部を形成可能であり、
前記各部品は、前記胴体部に連結され、前記人形体の頭部の少なくとも一部を形成可能な頭部部品と、前記胴体部あるいは前記頭部の少なくとも一部を形成するその他部品と、
からなり、
前記組立状態において、前記頭部部品は前記収容体の上部に配置され、
前記収容体に前記各部品が収容された収容状態において、前記頭部部品は前記その他部品の少なくとも一部を収容可能である組立玩具。
【請求項２】
請求項１に記載の組立玩具であって、
前記頭部部品は、前記その他部品の少なくとも一部を収容可能な空間を有する組立玩具。
【請求項３】
請求項１または請求項２に記載の組立玩具であって、
前記頭部部品は、前記組立状態において、前記その他部品が取付可能な取付部を有する組立玩具。
【請求項４】
請求項３に記載の組立玩具であって、
前記取付部は、前記その他部品の一部が挿入可能な開口であり、
前記その他部品は、その一部が前記取付部に対して嵌入される組立玩具。
【請求項５】
請求項３または請求項４に記載の組立玩具であって、
前記収容体は、互いに分割可能な第１部材及び第２部材を有し、
前記第１部材及び前記第２部材は、それぞれ前記収容体に前記頭部部品を連結するための第１部材結合部及び第２部材結合部を備える組立玩具。
【請求項６】
請求項５に記載の組立玩具であって、
前記第１部材結合部及び前記第２部材結合部は、前記頭部部品の一部を挿入可能な開口である組立玩具。
【請求項７】
請求項６に記載の組立玩具であって、
前記頭部部品は、前記第１部材結合部及び前記第２部材結合部に対して挿入後に結合可能な第１係止爪及び第２係止爪を有する組立玩具。
【請求項８】
請求項７に記載の組立玩具であって、
前記第１係止爪は前記第１部材結合部に対してのみ挿入後に結合可能であり、前記第２係止爪は前記第２部材結合部に対してのみ挿入後に結合可能である組立玩具。
【請求項９】
請求項７または請求項８に記載の組立玩具であって、
前記頭部部品は、前記組立状態において、前記収容体に対して線接触する環状の縁部を有し、
前記第１係止爪及び前記第２係止爪は、前記縁部の内側において互いに対向するように配置されている組立玩具。
【請求項１０】
請求項９に記載の組立玩具であって、
前記第１係止爪及び前記第２係止爪のうちの少なくとも一方は、他方に対して近づくように設けられる組立玩具。
【請求項１１】
請求項９または請求項１０に記載の組立玩具であって、
前記収容体の前部及び前記頭部部品の前部が同一方向を向いて組み立てられた場合にのみ前記縁部が前記収容体に対して線接触可能である組立玩具。
【請求項１２】
請求項１に記載の組立玩具であって、
前記収容体における前記頭部部品が配置される取付面は、略球状の形状の一部を構成する組立玩具。
【請求項１３】
請求項５ないし請求項１２のうちのいずれか１項に記載の組立玩具であって、
前記収容体における前記頭部部品が配置される箇所と反対側に接地面を有し、
前記第１部材係止部及び前記第２部材係止部は、前記接地面に対する距離が異なる位置に設けられる組立玩具。
【請求項１４】
請求項１３に記載の組立玩具であって、
前記収容体は、前記接地面を覆う被覆部材と前記接地面に前記被覆部材を支持可能な被覆部材支持部を有し、
前記被覆部材は、表面が凸状の球面であるとともに、裏面が前記被覆部材支持部により支持可能である組立玩具。
【請求項１５】
請求項１２ないし請求項１４のうちのいずれか１項に記載の組立玩具であって、
前記接地面が平坦である組立玩具。
【請求項１６】
請求項１ないし請求項１５のうちのいずれか１項に記載の組立玩具であって、
前記その他部品は、前記胴体部の少なくとも一部と前記頭部部品の少なくとも一部の両方を被覆可能な人形体被覆部品を含み、
前記人形体被覆部品は、前記頭部部品に係止される組立玩具。
【請求項１７】
請求項１ないし請求項１６のうちのいずれか１項に記載の組立玩具であって、
前記頭部部品は、顔面意匠が形成されている組立玩具。
【手続補正２】
【補正対象書類名】明細書
【補正対象項目名】００６４
【補正方法】変更
【補正の内容】
【００６４】
また、本実施形態に係る組立玩具１０では、収容体２０の接地面２７に被覆部材支持部２７１が設けられている。また、接地面２７を覆う被覆部材４０には、裏面４２側に突起部４３が設けられている。このため、突起部４３が被覆部材支持部２７１に支持されるすることにより、容易に被覆部材４０を収容体２０の接地面２７に取り付けることができる。なお、被覆部材４０は、表面が凸状の球面である。
このため、収容体２０の接地面２７に被覆部材４０を取付けることにより、収容体２０の全体形状を球状に近づけることができ、販売に適した形状とすることができる。
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
収容体と、
前記収容体に収容可能な複数の部品と、を有し、
前記収容体と前記複数の部品とが組み立てられる組立状態において人形体となる組立玩具であって、
前記収容体は、前記人形体の胴体の少なくとも一部を形成可能な胴体部品であり、
前記複数の部品は、前記胴体部品に連結され、前記人形体の頭部の少なくとも一部を形成可能な頭部部品と、前記胴体部品あるいは前記頭部部品に取付可能なその他部品と、を含み、
前記頭部部品は、前記その他部品に含まれるいずれかの部品の一部分を収容可能な空間を有し、
前記組立状態において、前記頭部部品は前記胴体部品の上部に配置され、
前記収容体に前記複数の部品が収容された収容状態において、前記頭部部品は前記空間に前記その他部品に含まれるいずれかの部品の一部分を収容する組立玩具。
【請求項２】
請求項１に記載の組立玩具であって、
前記頭部部品は、前記組立状態において、前記その他部品が取付可能な取付部を有する組立玩具。
【請求項３】
請求項２に記載の組立玩具であって、
前記取付部は、前記その他部品に含まれるいずれかの部品の一部分が挿入可能な開口であり、
前記その他部品は、その一部分が前記取付部に対して嵌入される組立玩具。
【請求項４】
請求項２または請求項３に記載の組立玩具であって、
前記胴体部品は、互いに分割可能な第１部材及び第２部材を有し、
前記第１部材及び前記第２部材は、それぞれ前記胴体部品に前記頭部部品を連結するための第１部材結合部及び第２部材結合部を備える組立玩具。
【請求項５】
請求項４に記載の組立玩具であって、
前記第１部材結合部及び前記第２部材結合部は、前記頭部部品の一部分を挿入可能な開口である組立玩具。
【請求項６】
請求項５に記載の組立玩具であって、
前記頭部部品は、前記第１部材結合部及び前記第２部材結合部に対して挿入後に結合可能な第１係止爪及び第２係止爪を有する組立玩具。
【請求項７】
請求項６に記載の組立玩具であって、
前記第１係止爪は前記第１部材結合部に対してのみ挿入後に結合可能であり、前記第２係止爪は前記第２部材結合部に対してのみ挿入後に結合可能である組立玩具。
【請求項８】
請求項６または請求項７に記載の組立玩具であって、
前記頭部部品は、前記組立状態において、前記胴体部品に対して線接触する環状の縁部を有し、
前記第１係止爪及び前記第２係止爪は、前記縁部の内側において互いに対向するように配置されている組立玩具。
【請求項９】
請求項８に記載の組立玩具であって、
前記第１係止爪及び前記第２係止爪のうちの少なくとも一方は、他方に対して近づくように設けられる組立玩具。
【請求項１０】
請求項８または請求項９に記載の組立玩具であって、
前記胴体部品の前部及び前記頭部部品の前部が同一方向を向いて組み立てられた場合にのみ前記縁部が前記収容体に対して線接触可能である組立玩具。
【請求項１１】
請求項１に記載の組立玩具であって、
前記胴体部品における前記頭部部品が配置される取付面は、略球状の形状の一部を構成する組立玩具。
【請求項１２】
請求項４ないし請求項１１のうちのいずれか１項に記載の組立玩具であって、
前記胴体部品は、前記頭部部品が配置される箇所と反対側に接地面を有し、
前記第１部材結合部及び前記第２部材結合部は、前記接地面に対する距離が異なる位置に設けられる組立玩具。
【請求項１３】
請求項１２に記載の組立玩具であって、
前記収容体は、前記接地面を覆う被覆部材と前記接地面に前記被覆部材を支持可能な被覆部材支持部を有し、
前記被覆部材は、表面が凸状の球面であるとともに、裏面が前記被覆部材支持部により支持可能である組立玩具。
【請求項１４】
請求項１１ないし請求項１３のうちのいずれか１項に記載の組立玩具であって、
前記接地面が平坦である組立玩具。
【請求項１５】
請求項１ないし請求項１４のうちのいずれか１項に記載の組立玩具であって、
前記その他部品は、前記胴体部品の少なくとも一部と前記頭部部品の少なくとも一部の両方を被覆可能な人形体被覆部品を含み、
前記人形体被覆部品は、前記頭部部品に係止される組立玩具。
【請求項１６】
請求項１ないし請求項１５のうちのいずれか１項に記載の組立玩具であって、
前記頭部部品には、顔面意匠が形成されている組立玩具。
【手続補正２】
【補正対象書類名】明細書
【補正対象項目名】０００６
【補正方法】変更
【補正の内容】
【０００６】
本発明に係る組立玩具は、中空の収容体と、前記収容体に収容される複数の部品とを有し、前記中空の収容体と前記各部品とが組み立てられる組立状態において人形体となる組立玩具であって、前記収容体は前記人形体の胴体部の少なくとも一部を形成可能であり、前記各部品は、前記胴体部に連結され、前記人形体の頭部の少なくとも一部を形成可能な頭部部品と、前記胴体部あるいは前記頭部の少なくとも一部を形成するその他部品と、からなり、前記組立状態において、前記頭部部品は前記収容体の上部に配置され、前記収容体に前記各部品が収容された収容状態において、前記頭部部品は前記その他部品の少なくとも一部を収容可能である。また、本発明に係る組立玩具は、収容体と、前記収容体に収容可能な複数の部品と、を有し、前記収容体と前記複数の部品とが組み立てられる組立状態において人形体となる組立玩具であって、前記収容体は、前記人形体の胴体の少なくとも一部を形成可能な胴体部品であり、前記複数の部品は、前記胴体部品に連結され、前記人形体の頭部の少なくとも一部を形成可能な頭部部品と、前記胴体部品あるいは前記頭部部品に取付可能なその他部品と、を含み、前記頭部部品は、前記その他部品に含まれるいずれかの部品の一部分を収容可能な空間を有し、前記組立状態において、前記頭部部品は前記胴体部品の上部に配置され、前記収容体に前記複数の部品が収容された収容状態において、前記頭部部品は前記空間に前記その他部品に含まれるいずれかの部品の一部分を収容する。